(57)【要約】【課題】  葬儀や法要を営む際に、飾り物として用いられる灯籠、提灯、供花等の葬祭用照明具に、マイナスイオン発生機能を備えて、遺族や縁者がさわやかな気分で故人の冥福と成仏を祈ることができる葬祭用照明具を提供する。【解決手段】  灯籠Ａの支持脚４の対向空間に三角形状の支持脚固定具５を設け、該固定具５に上下方向を開放した筒状飾り体６と、その内部にマイナスイオン発生モジュール７を内装して載置固定し、葬祭用照明具を交流電源に接続すると、先ず電球が点灯し、次いでスイッチを入れると、パイロットランプが点灯してマイナスイオン発生モジュール７に開口形成した放出口からマイナスイオンが放出されるようにした。【選択図】  図１
2005125616.tif 000002
【特許請求の範囲】
【請求項１】
複数本の支持脚で支承される灯籠、提灯、供花等の葬祭用照明具の支持脚対向空間に、上下方向を開放した筒状飾り体と、その内部にマイナスイオン発生モジュールとを内装して固定し、上記葬祭用照明具に装備した発光体としての電球は交流電源に直接接続され、マイナスイオン発生モジュールは交流電源にスイッチを介して接続された高電圧発生ユニットの出力端子側に設けた放電針と、該放電針の先端側に対設したマイナスイオン集電板と高電圧発生ユニットの基準端子間にダイオードとコンデンサを直列に接続して構成され、高電圧発生ユニットの入力側にコンデンサとパイロットランプを並列に接続し、葬祭用照明具を交流電源に接続すると、先ず電球が点灯し、次いでスイッチを入れると、パイロットランプが点灯してマイナスイオン発生モジュールに開口形成した放出口からマイナスイオンが放出されるようにしたことを特徴とするマイナスイオン発生機能を備えた葬祭用照明具。
【請求項２】
複数本の支持脚で支承される灯籠、提灯、供花等の葬祭用照明具の支持脚対向空間に、上下方向を開放した筒状飾り体と、その内部にマイナスイオン発生モジュールとを内装して固定し、上記葬祭用照明具に装備した発光体としての電球とマイナスイオン発生モジュールとを交流電源にスイッチを介して接続し、マイナスイオン発生モジュールは高電圧発生ユニットの出力端子側に設けた放電針と、該放電針の先端側に対設したマイナスイオン集電板と高電圧発生ユニットの基準端子間にダイオードとコンデンサを直列に接続して構成され、高電圧発生ユニットの入力側にコンデンサと電球を並列に接続し、葬祭用照明具を交流電源に接続した後、スイッチを入れると、電球の点灯と同時にマイナスイオン発生モジュールに開口形成した放出口からマイナスイオンが放出されるようにしたことを特徴とするマイナスイオン発生機能を備えた葬祭用照明具。
【発明の詳細な説明】
【技術分野】
【０００１】
本発明は、マイナスイオン発生機能を備えた葬祭用照明具に係り、詳しくは、複数本の支持脚で支承される灯籠、提灯、供花等の葬祭用照明具において、上記支持脚の対向空間に、上下方向を開放した筒状飾り体と、その内部にマイナスイオン発生モジュールを内装して固定し、葬儀や法要を営む際、照明具による照明効果とマイナスイオンによる空気浄化効果の相乗的効果により、さわやかな気分で故人の冥福と成仏を祈ることができ、供養の心情を十分に満たすことができるマイナスイオン発生機能を備えた葬祭用照明具に関するものである。
【背景技術】
【０００２】
灯籠は、葬儀の際に祭壇の脇に飾られ、故人の冥福を祈るとともに、葬儀の終了後は、洗骨された故人の霊を慰め、先祖の住む他界へ旅立つ時の目印として迷うことなく他界へ導き、安らかに成仏される役目を表す意味で用いられている。
【０００３】
提灯は、いわゆる盆提灯といわれているように、成仏された故人が他界から迷うことなく家に帰るための目印として、玄関の軒先などに飾ることが慣習として行われてきたが、近時は仏壇のある部屋に飾り、供養するために用いられている。
【０００４】
供花は、葬儀の際には祭壇に安置され、故人の冥福を祈るとともに、盆などの法要の際には仏壇に飾り、供養するために用いられる。
【０００５】
ところが、上記のような葬祭用照明具としての灯籠や提灯は、火袋による照明を主体として構成されているものであり、また供花は擬花の花芯に装備した豆電球による照明を主体として形成されたものであってマイナスイオンを発生させる機能を備えた照明具は皆無である。
【特許文献１】特開平８−３１５６１０
【特許文献２】特開平６−４３９１３
【特許文献３】特開２０００−１２９５２１
【０００６】
すなわち、上記特許文献１に記載の灯籠は、火袋内に電球を設け、この電球と火袋との間に回転筒を設けたものであり、特許文献２に記載の提灯は、火袋を吊下する支柱に着脱自在な装飾板を設け、この装飾板に家紋を描いた化粧板を取り付けるようにしたものであり、更に特許文献３に記載の供花は、擬花の花芯に装備した豆電球による照明を主体としたものであって、これらの葬祭用照明具にはマイナスイオンを発生させるようにしたものは全くない。
【０００７】
そのため、家庭で営まれる葬儀や法要などでは、線香の煙や燭火の炎から排出する一酸化炭素、更には遺族や縁者などの喫煙から排出されるニコチンやタールなどにより室内の空気が汚染されるという不具合があり、さわやかな気分で故人の冥福と成仏を祈ることができなかった。しかし、人生終焉の厳かなセレモニーである葬儀とか、亡き先祖の霊を迎え、家族や一族が集まって供養する盆行事など、特別の環境下では、かかる不具合を甘受せざるを得ないのが実状であった。
【発明の開示】
【発明が解決しようとする課題】
【０００８】
本発明は、上記のような実情に鑑み、全く新しい構想に基づいて創案されたものであって、その意図するところは、マイナスイオンに抗菌、消臭作用のあることに着目して、複数本の支持脚で支承される灯籠、提灯、供花等の葬祭用照明具において、上記支持脚の対向空間に、上下方向を開放した筒状飾り体と、その内部にマイナスイオン発生モジュールを内装して固定することにより、葬儀や法要を営む際に、照明効果と空気清浄効果の相乗的効果によって、さわやかな気分で故人の冥福と成仏を祈ることができるようにし、もって供養の心情を十分に満たすことができるマイナスイオン発生機能を備えた葬祭用照明具を提供することを課題とするものである。
【課題を解決するための手段】
【０００９】
上記課題を解決するため、本発明が採用した第１の技術手段は、複数本の支持脚で支承される灯籠、提灯、供花等の葬祭用照明具の支持脚対向空間に、上下方向を開放した筒状飾り体と、その内部にマイナスイオン発生モジュールとを内装して固定し、上記葬祭用照明具に装備した発光体としての電球は交流電源に直接接続され、マイナスイオン発生モジュールは交流電源にスイッチを介して接続された高電圧発生ユニットの出力端子側に設けた放電針と、該放電針の先端側に対設したマイナスイオン集電板と高電圧発生ユニットの基準端子間にダイオードとコンデンサを直列に接続して構成され、高電圧発生ユニットの入力側にコンデンサとパイロットランプを並列に接続し、葬祭用照明具を交流電源に接続すると、先ず電球が点灯し、次いでスイッチを入れると、パイロットランプが点灯してマイナスイオン発生モジュールに開口形成した放出口からマイナスイオンが放出されるようにしたことを特徴とするものである。
【００１０】
本発明が採用した第２の技術手段は、複数本の支持脚で支承される灯籠、提灯、供花等の葬祭用照明具の支持脚対向空間に、上下方向を開放した筒状飾り体と、その内部にマイナスイオン発生モジュールとを内装して固定し、上記葬祭用照明具に装備した発光体としての電球とマイナスイオン発生モジュールとを交流電源にスイッチを介して接続し、マイナスイオン発生モジュールは高電圧発生ユニットの出力端子側に設けた放電針と、該放電針の先端側に対設したマイナスイオン集電板と高電圧発生ユニットの基準端子間にダイオードとコンデンサを直列に接続して構成され、高電圧発生ユニットの入力側にコンデンサと電球を並列に接続し、葬祭用照明具を交流電源に接続した後、スイッチを入れると、電球の点灯と同時にマイナスイオン発生モジュールに開口形成した放出口からマイナスイオンが放出されるようにしたことを特徴とするものである。
【発明の効果】
【００１１】
したがって、本発明によれば、もともとマイナスイオンそのものが、空気中に含まれる僅かなでんきを帯びた物質（原子、分子、分子集団）で、目には見えず、肌で感じることもできないものであっても、第１の技術手段を採用した場合には、パイロットランプが点灯している間、第２の技術手段を採用した場合には電球が点灯している間は、マイナスイオンが放出されて空気の浄化作用が行われていることが確認でき、そのため、さわやかな気分で故人の冥福と成仏を祈ることができる。そのうえ、マイナスイオン発生モジュールは、飾り体の内部に内装された状態で、葬祭用照明具の支持脚の対向空間にコンパクトに納められているので、照明具としての審美性を一層向上させることができ、故人の霊を慰める飾り物としての役目を十分に果たすことができる。
【発明を実施するための最良の形態】
【００１２】
複数本の支持脚で支承される灯籠、提灯、供花等の葬祭用照明具において、上記支持脚の対向空間に、上下方向を開放した筒状飾り体と、その内部にマイナスイオン発生モジュールを内装して固定することにより、さわやかな気分で故人の冥福と成仏を祈ることができるマイナスイオン発生機能を備えた葬祭用照明具を実現した。
【実施例１】
【００１３】
図１は本発明の実施例１を示す灯籠の正面図であって、該灯籠Ａは、扇１、扇房１ａ、火袋２、配線台３、配線台３に装備された電球（図示省略）、三本の支持脚４および三角形状の支持脚固定具５とによって、組立分解自在に構成されている。
【００１４】
なお、上記灯籠Ａは、三本の支持脚４で支承されるものであれば、図示のものに限定されるものではなく、配線台３に装備した電球の頭部に針金状の支承部材を被冠し、該支承部材を介して回転筒を回転自在に支承した回転型灯籠であってもよい。
【００１５】
そして、上記三角形状の支持脚固定具５には、上下方向を開放した筒状飾り体６と、その内部に後述するマイナスイオン発生モジュール７が載置固定されている。
【実施例２】
【００１６】
図２は本発明の実施例２を示す提灯の正面図であって、該提灯Ｂは、扇８、火袋９、配線台１１に装備された電球（図示省略）、三本の支持脚１２および三角形状の支持脚固定具１３とによって、組立分解自在に構成されている。
【００１７】
なお、上記提灯Ｂは、三本の支持脚１２で支承されているものであれば、図示のものに限定されるものではなく、火袋９の配線台１１に装備された電球の頭部に針金状の支承部材を被冠し、該支承部材を介して回転筒を回転自在に支承した回転型提灯であってもよい。
【００１８】
そして、上記三角形状の支持脚固定具１３には、上下方向を開放した筒状飾り体６と、その内部に後述するマイナスイオン発生モジュール１５が載置固定されている。
【実施例３】
【００１９】
図３は本発明の実施例２を示す供花の正面図であって、該供花Ｃは、三本の支持脚１６と、三角形状の支持脚固定具１７で支承された基台１８の台座１８ａに可撓性部材からなる複数本の中空状擬茎体１９ａ、１９ｂ、１９ｃ…と２０ａ、２０ｂ、２０ｃ…が植立され、該擬茎体１９ａ、１９ｂ、１９ｃ…の先端部には擬花２１、２１…が、また擬茎体２０ａ、２０ｂ、２０ｃ…の先端部には擬葉２２、２２…がそれぞれ着脱自在に装備されていると共に、擬花２１、２１…の花芯には豆電球（図示省略）が擬茎体１９ａ、１９ｂ、１９ｃ…に挿通した電線に接続して構成されている。
【００２０】
なお、上記豆電球は、スイッチを介して交流電源に接続した際、スイッチを入れたときに点滅を繰り返すように構成してもよく、またスイッチを入れたときに点灯し、スイッチを切ったときに消灯するようにしてもよい。
【００２１】
そして、上記三角形状の支持脚固定具１７には、上下方向に開放した筒状飾り体２３と、その内部に後述するマイナスイオン発生モジュール２４が載置固定されている。
【００２２】
図４はマイナスイオン発生モジュール７、１５、２４の回路図であって、該発生モジュール７、１５、２４は、交流電源ＡＣにスイッチ２５を介して接続された高電圧発生ユニット２６の出力端子２６ａ側に設けた放電針２６ｂと、該放電針２６ｂの先端側に対設したマイナスイオン集電板２６ｃと高電圧発生ユニット２６の基準端子２６ｄとの間に、ダイオード２７、コンデンサ２８を直列に接続して構成されている。なお、上記高電圧発生ユニット２６の入力側にはコンデンサ２９とパイロットランプ３０が並列接続されている。３１は交流電源ＡＣに直接接続された電球（豆電球）である。したがって、スイッチ２５を入れると、電球３１が点灯すると共に、パイロットランプ３０が点灯し、マイナスイオン発生モジュール７、１５、２４の各放出口からマイナスイオンが吐出される。このため、パイロットランプ３０が点灯している間は、マイナスイオン発生モジュール７、１５、２４からマイナスイオンが発生していることを外部から確認することができる。
【００２３】
図５は回路の他の実施例を示すものであって、このものは電球３１とマイナスイオン発生モジュール７、１５、２４を交流電源ＡＣにスイッチ２５を介して接続し、電球３１にコンデンサ３２を並列に接続したものである。したがって、スイッチ２５を入れると、電球３１が点灯し、マイナスイオン発生モジュール７、１５、２４の各放出口からマイナスイオンが吐出される。このため、電球３１が点灯している間は、マイナスイオンが発生して空気の浄化作用が行われていることが外部から確認できる。
【００２４】
以上の説明によって明らかなように、本発明によれば、葬儀や法要を営む際に、故人の霊を慰め、供養するために用いられる灯籠、提灯、供花等の葬祭用照明具を支承する支持脚の対向空間に、筒状飾り体に外周を囲繞された状態で、マイナスイオン発生モジュールをコンパクトに納めたので、照明具としての違和感がなく、むしろ審美性を向上させることができ、したがって、遺族や縁者は、さわやかな気分で故人の冥福と成仏を祈ることができる。
【産業上の利用可能性】
【００２５】
本発明の灯籠や提灯は和風レストランの室内飾り物として利用でき、供花は事務室や過程の室内装置品として利用できる。
【図面の簡単な説明】
【００２６】
【図１】灯籠の正面図である。
【図２】提灯の正面図である。
【図３】供花の正面図である。
【図４】回路図である。
【図５】他の回路図である。
【符号の説明】
【００２７】
１、８    扇
１ａ      扇房
２、９    火袋
３、１１  配線台
４、１２、１６  支持脚
５、１３、１７  固定具
６、１４、２３  筒状飾り体
７、１５、２４  マイナスイオン発生モジュール
１０      支柱
１８      基台
１８ａ    台座
１９ａ、１９ｂ、１９ｃ  擬茎体
２０ａ、２０ｂ、２０ｃ  擬茎体
２１      擬花
２２      擬葉
２５      スイッチ
２６      高電圧発生ユニット
２６ａ    出力端子
２６ｂ    放電針
２６ｃ    集電極
２６ｄ    基準端子
２７      ダイオード
２８      コンデンサ
２９      コンデンサ
３０      パイロットランプ
３１      電球
３２      コンデンサ
Ａ        灯籠
Ｂ        提灯
Ｃ        供花
【図１】
2005125616.tif 000003
【図２】
2005125616.tif 000004
【図３】
2005125616.tif 000005
【図４】
2005125616.tif 000006
【図５】
2005125616.tif 000007